(57)【特許請求の範囲】
【請求項１】
比較的剛性を有する本体（１）と柔軟性を有する蓋体（２）とを組み合わせてなる鞄であって、本体（１）と蓋体（２）との接合部分（３）において、本体（１）と蓋体（２）のいずれか一方に凹部（４）を設け、他方に凸部（５）を設けたものとし、前記凹部（４）に前記凸部（５）を嵌め、さらに、前記接合部分（３）の外周に設けた帯（６）により、本体（１）と蓋体（２）とを締め付けるようにしたことを特徴とする鞄。
【請求項２】
本体（１）、蓋体（２）及び帯（６）を貫通する固定具（１８）を適宜数箇所に設けた請求項１記載の鞄。
【請求項３】
内部に補強フレーム（９）を有する請求項１又は２記載の鞄。
【発明の詳細な説明】
【０００１】
【発明の属する技術分野】
この発明は、スーツケース等、旅行その他適宜の用途で利用される鞄に関するものである。
【０００２】
【従来の技術】
従来より、プラスチックや金属等で成形された比較的剛性を有する本体と、生地を用いて縫製された柔軟性を有する蓋体とを組み合わせ、一体化させた複合素材の鞄が存在する。この鞄は、剛性、強度に優れたハードタイプの鞄と、柔軟性、フレキシビリティに優れたソフトタイプの鞄の両方の特徴を併せ持つものである。
【０００３】
しかし、従来のこの種の鞄は、本体と蓋体のそれぞれの開口部を、全周にわたり平面的に重ねあわせ、縫着することにより接合されるものであった。そのため、接合の強度が弱く、縫製用の特殊なミシンを必要とし設備面での負担が大きく、また、蓋体のデザイン面での制約が大きかった。
【０００４】
【発明が解決しようとする課題】
そこで、この発明は、本体と蓋体との接合の強度が強く、縫製用の特殊なミシンを必要とせず設備面での負担が小さく、また、蓋体のデザイン面での制約が少ない、剛性を有する本体と柔軟性を有する蓋体とを組み合わせてなる鞄を提供することを課題とする。
【０００５】
【課題を解決するための手段】
前記課題を解決するため、この発明は次のような技術的手段を講じている。
【０００６】
この発明の鞄は、比較的剛性を有する本体１と柔軟性を有する蓋体２とを組み合わせてなる鞄であって、本体１と蓋体２との接合部分３において、本体１と蓋体２のいずれか一方に凹部４を設け、他方に凸部５を設けたものとし、前記凹部４に前記凸部５を嵌め、さらに、前記接合部分３の外周に設けた帯６により、本体１と蓋体２とを締め付けるようにしている。
【０００７】
また、本体１、蓋体２及び帯６を貫通する固定具１８を適宜数箇所に設けたり、内部に補強フレーム９を有したものとしたりすることもできる。
【０００８】
【発明の実施の形態】
以下、この発明の実施形態を、図面を参照して説明する。
【０００９】
この発明の鞄は、比較的剛性を有する本体１と柔軟性を有する蓋体２とを組み合わせてなる鞄であって、本体１と蓋体２との接合部分３において、本体１と蓋体２のいずれか一方に凹部４を設け、他方に凸部５を設けたものとし、前記凹部４に前記凸部５を嵌め、さらに、前記接合部分３の外周に設けた帯６により、本体１と蓋体２とを締め付けるようにしたものである。
【００１０】
図１、図２はこの鞄の外観を示す図、図３はこの鞄の分解状態を示す図、図４は本体１を示す図、図５は本体１の縦断面を示す図、図６は蓋体２を示す図、図７は蓋体２の縦断面を示す図、図８は本体１と蓋体２とを接合した状態を示す図、図９は本体１と蓋体２とを接合した状態の縦断面を示す図である。
【００１１】
この鞄は、底部にキャスター７、右側部にハンドル８、左側部に底鋲（図示せず）が設けられており、主として旅行の際に利用されるものとしているが、特にこの構成に限定されない。
【００１２】
図３に示したように、この鞄は、本体１と蓋体２とを組み合わせてなるもので、さらに内部には補強フレーム９が取り付けられたものとしている。
【００１３】
本体１は、略四角枠状の周壁１０と後壁１１とを一体的に形成したもので、硬質なプラスチック又は金属で作製することができる。
【００１４】
凹部４は、本体１の開口部付近において周壁１０の外側全周にわたって形成されたアンダーカット溝としている。この凹部４は、本体１と蓋体２との接合部分３を構成するのみならず、本体１の剛性や保形性の強化にも寄与する。
【００１５】
蓋体２は、略四角枠状の周壁１２と前壁１３とからなり、本体１よりも柔軟性を有するもので、比較的薄いプラスチック製の芯材とその外側を覆う合成繊維等の生地からなるものとすることができる。蓋体２の周壁１２は、外周生地が底部においてササマチ構造１４を有しており、本体１の周壁１０に対して外周長さ寸法に余裕を持たせている。
【００１６】
前壁１３は、図２に示したように、周囲に設けたファスナー１５により開放自在としており、表面側と裏面側に小物を収容できるポケットを有し、また、内部にはクッション材を設けている。
【００１７】
凸部５は、蓋体２の開口部付近において周壁１０の内側全周にわたって設けられている。凸部５は、長尺体の上に複数本の突条を一体的に形成し、前記凹部４に嵌合するようにした形状のもので、比較的柔軟なプラスチック等の素材で作製され、縫着により蓋体２の周壁１２の内面に取り付けたものとすることができる。
【００１８】
帯６は、前記凸部５と対応するように、蓋体２の開口部付近において周壁１２の外側全周にわたって設けられている。帯６は、合成繊維等で作製され、蓋体２の周壁１２の外周生地に、底部に両端部を少し残して縫着することにより取り付けられたものとすることができる。
【００１９】
そして、補強フレーム９は、本体１及び蓋体２の内側に収まる略四角枠状で、マグネシウムやアルミニウム等の金属で作製することができる。この補強フレーム９により、鞄の剛性が十分に確保され、特にハンドル８使用時の変形に対応することができ、ハードスーツケースに匹敵する強度を得ることも可能である。また、補強フレーム９には、キャスター７や底鋲等の取り付けのための芯材１６をあらかじめ取り付けておくことができるので、蓋体２が柔軟性を有するものであっても、キャスター７や底鋲等の取り付け部分の強度を十分に確保した一体的なシャーシーの構成を、別工程で非常に作業性よく行なうことが可能である。
【００２０】
次に、この鞄の組み立て方法について説明する。
【００２１】
まず、本体１の周壁１０の内側に補強フレーム９を嵌め込むと共に、本体１の周壁１０の外側に蓋体２の周壁１２を、それぞれ互いに一部重なるように外嵌する。この際、本体１の周壁１０の凹部４に蓋体２の周壁１２の凸部５を嵌める。本体１の開口部（周壁１０の上部）、補強フレーム９、及び蓋体２の開口部（周壁１２の下部）が重なり、この鞄の接合部分３となる（図８、図９）。
【００２２】
本体１と蓋体２との接合時において、本体１は、その素材及び前記凹部４により、剛性及び保形性を有しているため、変形や寸法の変化が防止される。一方、蓋体２は比較的柔軟性を有しており、しかも、蓋体２の周壁１２は、本体１の周壁１０に対して寸法に余裕があるので、容易に本体１と蓋体２とを接合することができる。
【００２３】
そして、底部において、帯６の両端を締結具１７を介して連結し、これを本体１と蓋体２の接合部分３に固定する。締結具１７はプラスチックで作製したものとすることができる。
【００２４】
さらに、帯６と締結具１７は、ネジ等の固定具１８により本体１と蓋体２に固定する。固定具１８は、本体１、補強フレーム９、蓋体２及び帯６を貫通するものとしている。固定具１８は、本体１と蓋体２との接合部分３において、適宜間隔で複数設けることができる。この固定具１８により、本体１と蓋体２との一体的な結合状態を得ることが可能となる。
【００２５】
以上のように、この鞄は、本体１と蓋体２とが、凹部４と凸部５により立体的な重なり構造で結合され、そして、帯６により外側から締め付けられ、結合状態がしっかりと保たれる。本体１と蓋体２との接合のために、従来のこの種の鞄のように特殊なミシンで縫製を行なう必要が無いため、設備面での負担を小さくすることができるだけでなく、蓋体２のデザイン面での自由度が高いので、様々なデザインとすることが可能である。
【００２６】
【発明の効果】
この発明の鞄は、上述のような構成を有しており、本体１と蓋体２との接合の強度が強く、縫製用の特殊なミシンを必要とせず設備面での負担が小さく、また、蓋体２のデザイン面での制約が少ない。
【図面の簡単な説明】
【図１】この発明の実施形態の鞄を立てた状態の斜視図。
【図２】この発明の実施形態の鞄を横にし、蓋体の前壁を一部開いた状態の斜視図。
【図３】この発明の実施形態の鞄の分解状態を示す図。
【図４】この発明の実施形態の鞄の本体の斜視図。
【図５】この発明の実施形態の鞄の本体の縦断面を示す説明図。
【図６】この発明の実施形態の鞄の蓋体の斜視図。
【図７】この発明の実施形態の鞄の蓋体の縦断面を示す説明図。
【図８】この発明の実施形態の鞄の本体と蓋体とを接合した状態の斜視図。
【図９】この発明の実施形態の鞄の本体と蓋体とを接合した状態の縦断面を示す説明図。
【符号の説明】
１  本体
２  蓋体
３  接合部分
４  凹部
５  凸部
６  帯
９  補強フレーム
１８  固定具
【図１】
0003574899.tif 000002
【図２】
0003574899.tif 000003
【図３】
0003574899.tif 000004
【図４】
0003574899.tif 000005
【図５】
0003574899.tif 000006
【図６】
0003574899.tif 000007
【図７】
0003574899.tif 000008
【図８】
0003574899.tif 000009
【図９】
0003574899.tif 000010